(57)【特許請求の範囲】
【請求項１】
支持基板（10）の裏面に吊り下げ用の挿入係止片（11）を垂設したクリップ部（A1）と、クリップ部（A1）に連設するとともに、吊り下げるボトル（Ｃ）の口頸部（52）を着脱可能に嵌合固定させるボトルネック固定部（A2）とを備えたボトルホルダーであって、ボトル（Ｃ）の口頸部（52）に嵌合したキャップ（Ｄ）を容易に離脱するための易回動手段を設け、該易回動手段は、ボトル（Ｃ）のキャップ（Ｄ）外周に遊嵌する締縛用孔（15）と、該締縛用孔（15）と連設して締縛用孔（15）の縮径を補助するための窓孔（16）とを支持基板（10）に穿設し、支持基板（10）両側を圧することでキャップ（Ｄ）外周に圧接する大きさに締縛用孔（15）を縮径可能に構成し、ボトルネック固定部（A2）は、支持基板（10）の下端縁に上端縁を連結した第１半環状板部（30）と、第１半環状板部（30）の端部に一端部を回動可能に連結して第１半環状板部（30）に対する開閉が可能に連結した第２半環状板部（32）とを備え、第２半環状板部（32）を閉じた状態で第２半環状板部（32）の他端部を第１半環状板部（30）に嵌合係止して両者の内縁でボトル口頸部（52）を嵌合させる嵌合孔（23）を形成し、第２半環状板部（32）の自由端部裏面に第１係合突部（34）を突設するとともに、自由端部側面に第２係合突部（35）を突設し、第１半環状板部（30）の表面に形成した係止管（33）に第２半環状板部（32）の自由端部を挿通して第１係合突部（34）を第１半環状板部（30）の側面に係合させるとともに、第２係合突部（35）を係止管（33）の端面に係合させる二重ロック構造としたことを特徴とするボトルホルダー。
【請求項２】
締縛用孔（15）の内周に、キャップ（Ｄ）外周に形成されたローレット（60）と係合する縦突条群（17）を設けた請求項１記載のボトルホルダー。
【請求項３】
クリップ部（A1）に対してボトルネック固定部（A2）を回動可能に連結した請求項１又は請求項２のいずれか１項に記載のボトルホルダー。
【発明の詳細な説明】
【技術分野】
【０００１】
本発明はボトルホルダーに関し、詳しくは、ボトルをウエストベルト等に吊り下げることができるボトルホルダーに関する。
【背景技術】
【０００２】
ペットボトル等のボトルを腰のベルトに吊り下げて携帯する腰吊下げ型のボトルホルダーが種々提案されている。（例えば、特許文献１及び２参照）
【０００３】
特許文献１のボトルホルダーは、腰ベルトの内側に挟み止める挿込み、及び手で持って携帯する片の上辺にペットボトル蓋部の直径より少し縮径させた孔で蓋部に少し固めに押入し冠着させる大きさとなっている穴を設けている。
【０００４】
また、特許文献２のボトルホルダーは、ウェストベルトの内側に挟み止める挿込み片の上辺に横向き片を設け、この横向き片の先端縁片にペットボトルの首部の直径と略同一の幅のＵ字状の切欠を切り欠いてペットボトル吊下げ部を設けると共に上記挿込み片の中央位置にペットボトルの螺子蓋の外径と略同一の径の蓋挿込み孔を開け且つこの蓋挿込み孔の内周面に螺子蓋のローレットへの係合用小突起を周設して螺子蓋開け部を設け、また挿込み片の先端個所を箆先状として当該箆先状部に断面形状が楔形のプルトップ起し用部を設けている。
【先行技術文献】
【特許文献】
【０００５】
【特許文献１】特開２００６−３４１９２３号公報
【特許文献２】特開２００２−１０４４１８号公報
【発明の概要】
【発明が解決しようとする課題】
【０００６】
上記各特許文献のボトルホルダーは、手が自由な状態でボトルを携帯することができるという便利があり、しかも構造も簡単である等の種々の利点を備えたものである。特に後者はキャップの螺脱に当たりキャップが固く螺着している場合にも簡単に取り外すことができる手段を兼ね備えている。
【０００７】
本発明は上記した従来のボトルホルダーと同様に便利なボトルの携帯を行えるとともに、キャップを螺脱等して取り外す際に簡単に行えるという利点を備え、しかも、携帯するボトルのキャップの径や口頸部の径が特定されずに幅のある大きさのキャップへの対応が可能であるボトルホルダーを提案する。
【課題を解決するための手段】
【０００８】
第１の手段として、以下の通り構成した。即ち、支持基板10の裏面に吊り下げ用の挿入係止片11を垂設したクリップ部A1と、クリップ部A1に連設するとともに、吊り下げるボトルＣの口頸部52を着脱可能に嵌合固定させるボトルネック固定部A2とを備えたボトルホルダーであって、ボトルＣの口頸部52に嵌合したキャップＤを容易に離脱するための易回動手段を設け、該易回動手段は、ボトルＣのキャップＤ外周に遊嵌する締縛用孔15と、該締縛用孔15と連設して締縛用孔15の縮径を補助するための窓孔16とを支持基板10に穿設し、支持基板10両側を圧することでキャップＤ外周に圧接する大きさに締縛用孔15を縮径可能に構成し、ボトルネック固定部A2は、支持基板10の下端縁に上端縁を連結した第１半環状板部30と、第１半環状板部30の端部に一端部を回動可能に連結して第１半環状板部30に対する開閉が可能に連結した第２半環状板部32とを備え、第２半環状板部32を閉じた状態で第２半環状板部32の他端部を第１半環状板部30に嵌合係止して両者の内縁でボトル口頸部52を嵌合させる嵌合孔23を形成し、第２半環状板部32の自由端部裏面に第１係合突部34を突設するとともに、自由端部側面に第２係合突部35を突設し、第１半環状板部30の表面に形成した係止管33に第２半環状板部32の自由端部を挿通して第１係合突部34を第１半環状板部30の側面に係合させるとともに、第２係合突部35を係止管33の端面に係合させる二重ロック構造とした。
【０００９】
第２の手段として、以下の通り構成した。即ち、前記第１の手段に於いて、締縛用孔15の内周に、キャップＤ外周に形成されたローレット60と係合する縦突条群17を設けた。
【００１０】
第３の手段として、以下の通り構成した。即ち、前記第１の手段又は第２の手段のいずれか１つの手段に於いて、クリップ部A1に対してボトルネック固定部A2を回動可能に連結した。
【発明の効果】
【００１３】
本発明では、支持基板10の裏面に吊り下げ用の挿入係止片11を垂設したクリップ部A1と、クリップ部A1に連設するとともに、吊り下げるボトルＣの口頸部52を着脱可能に嵌合固定させるボトルネック固定部A2とを備えているため、クリップ部A1をウエストベルトＢ等に係止させることで、両手が自由な状態でボトルＣを携帯所持することができる。
【００１４】
また、ボトルＣの口頸部52に嵌合したキャップＤを容易に離脱するための易回動手段を設けており、該易回動手段は、ボトルＣのキャップＤ外周に遊嵌する締縛用孔15と、該締縛用孔15と連設して締縛用孔15の縮径を補助するための窓孔16とを支持基板10に穿設し、支持基板10両側を圧することでキャップＤ外周に圧接する大きさに締縛用孔15を縮径可能に構成しているため、キャップＤの外径が相違するものであっても充分対応でき、しかもキャップＤの回動は小さな力で簡単に行える。螺着形態のキャップであっても、或いはその他のツイストロック形態のキャップであっても回動させることで離脱が可能な形態のキャップに対して有効に使用できる。
【００１５】
締縛用孔15の内周にキャップＤ外周に形成されたローレット60と係合する縦突条群17を設けた場合には、キャップＤの回動時にキャップのローレット60と締縛用孔15の縦突条群17とが係合して両者が滑ることを確実に防止でき、より確実，容易なキャップＤの回動が可能となる。
【００１６】
クリップ部A1に対してボトルネック固定部A2を回動可能に連結した場合には、ボトルＣの携帯歩行時に生じるボトルＣの揺れを吸収してクリップ部A1とボトルネック固定部A2との連結部位に係る負荷を極力緩和し、耐久性の向上に繋がる。
【００１８】
ボトルネック固定部A2は、支持基板10の下端縁にヒンジ20を介して上端縁を連結した第１半環状板部30と、第１半環状板部30の端部に一端部を回動可能連結して第１半環状板部30に対する開閉が可能に連結した第２半環状板部32とを備え、第２半環状板部32を閉じた状態で第２半環状板部32の他端部を第１半環状板部30に嵌合係止して両者の内縁でボトル口頸部52を嵌合させる嵌合孔23を形成してなる場合には、第２半環状板部32先端の嵌合係止を外さない限りボトルＣが外れる虞がない。
【図面の簡単な説明】
【００１９】
【図１】ボトルホルダーの斜視図である。（実施例１）
【図２】ボトルホルダーの縦断面図である。（実施例１）
【図３】ボトルホルダーの使用を説明する説明図である。（実施例１）
【図４】ボトルホルダーの使用を説明する説明図である。（実施例１）
【図５】ボトルホルダーの斜視図である。（実施例２）
【図６】ボトルホルダーの要部斜視図である。（実施例３）
【図７】ボトルホルダーの要部斜視図である。（実施例３）
【発明を実施するための形態】
【００２０】
以下、本発明の形態を図面を参照して説明する。
【００２１】
図１はボトルホルダーＡの一例を示す。ボトルホルダーＡは、クリップ部A1とボトルネック固定部A2とを備えている。
【００２２】
ボトルホルダーＡは合成樹脂等により形成され、図３に示す如く、ウエストベルトＢにクリップ部A1を係止し、また、ボトルネック固定部A2にボトルＣを嵌合固定させてボトルＣを身体に吊り下げ携帯するためのものである。ボトルホルダーＡにより吊り下げが可能なボトルＣとしては、図示例の如き一般的な、胴部50より肩部51を介して口頸部52を起立した形態のものが使用でき、口頸部52にキャップＤを螺着した形態のものが使用される。尚、キャップＤは螺着したものに限らず、取り外す際に回動操作を伴うものが適用でき、例えば、所定の回動角度を回動した後引き上げることでロックが解除される如き所謂ツイストロック機構により係止されるキャップを使用することも可能である。
【００２３】
クリップ部A1は、支持基板10の裏面に吊り下げ用の挿入係止片11を垂設している。挿入係止片11は、使用時に上部となる支持基板10の一端部からフランジ状の連結部12を介して支持基板10と平行に垂設しており、内面下端には係止用の突条13を突設している。また、形成する材料を減少する目的で複数の透孔14を挿入係止片11に穿設している。そして、図３に示す如く、挿入係止片11をウエストベルトＢの裏面に上方から挿入し、挿入係止片11と支持基板10との間にウエストベルトＢを挟持させて固定する。尚、クリップ部A1の固定部位としてウエストベルトＢに限らず、その他ズボンのポケットや挿入係止片11の挿入係合が可能な部位であれば可能である。
【００２４】
ボトルネック固定部A2は、キャップＤを螺着した状態のボトルの口頸部52に対して着脱が可能であり、また、装着した状態では簡単には外れない構造となっている。図示例では、支持基板10の使用時下端縁となる一端縁にヒンジ20を介して一端縁を連結した板状をなす固定基板21を備え、固定基板21の中央部には、周囲に放射状の切溝22を複数延設した口頸部嵌合用の嵌合孔23を穿設している。この嵌合孔23の径はキャップＤの外径より小さく形成され、ボトルＣへの装着時には各切溝22間の突片24の先端が弾性変形して強制的にキャップＤを挿通させ、キャップＤの挿通後に弾性復元した各突片がキャップＤ下面に係止されて抜け出しを防止する。そして、キャップＤ上方から強制的にボトルネック固定部A2を嵌合されたボトルＣは、図３に示す如く吊り下げられる。この際固定基板21は身体によりボトルＣが起立状態に押圧されることで、水平状態に維持される。
【００２５】
尚、図示例では、キャップＤの下面に各突片24の先端が係合している場合を示したが、キャップＤ螺着部分下方の口頸部52外周にフランジを設けている場合にはそのフランジの径よりも小さく形成して、フランジの下面に各突片24が係合する如く構成しても良い。また、ヒンジ20を介せずにクリップ部A1に対してボトルネック固定部A2を連設することも可能である。その場合には支持基板10に対して所定の角度例えば９０°の角度をもって固定基板21を延設すると良い。この角度は当然これに限らない。
【００２６】
本発明では、ボトルＣの口頸部52に螺着したキャップＤを容易に螺脱するための易回動手段を設けている。易回動手段は、ボトルＣの口頸部52に螺着したキャップＤの外周に遊嵌する締縛用孔15と、該締縛用孔15と連設して締縛用孔15の縮径を補助するための窓孔16とを支持基板10に穿設し、支持基板10両側を圧することでキャップＤ外周に圧接する大きさに締縛用孔15を縮径可能に構成している。
【００２７】
易回動手段を使用する場合には、図３の状態からクリップ部A1をウエストベルトＢより外した後、強制的にボトルネック固定部A2を上方へ引き上げて外し、次いで、外したボトルホルダーＡを、図４に示す如く、締縛用孔15をキャップＤ外周に嵌合させ窓孔16外方の支持基板10を内方へ圧することで締縛用孔15が縮径し、キャップＤの外周に圧接する。この際キャップＤの外周にはローレット60が刻設されており、また、締縛用孔15の内周にはローレット60と係合可能な縦突条群17刻設されており、両者は係合してより摩擦力を発揮し、また、手で掴む部分は締縛用孔15より離れた位置で掴むことができるため、極めて軽い力でキャップＤの螺着を外すことができる。
【００２８】
また、図１乃至４の例では、キャップＤ外周にローレット60を、締縛用孔15内周に縦突条群17を刻設した例を示したが、これに限らず、図５に示す如く、締縛用孔15内周に縦突条群17を設けない場合でも充分機能する。その場合にはキャップＤの外周にローレット60がある場合でもない場合でも対応できる。
【００２９】
また、図１の例或いは図５の例では、ボトルネック固定部A2を上記した構成として説明したが、ボトルネック固定部A2はこれに限らず、例えば、図６及び図７に示すごときボトルネック固定部A2を採用しても良い。
【００３０】
この場合のボトルネック固定部A2は、支持基板10の下端縁にヒンジ20を介して上端縁を連結した第１半環状板部30と、第１半環状板部30の端部にヒンジ部31を介して一端部を回動可能連結して第１半環状板部30に対する開閉が可能に連結した第２半環状板部32とを備えている。また、第２半環状板部32を閉じた状態で第２半環状板部32の他端部を第１半環状板部30に嵌合係止して両者の内縁でボトル口頸部52を嵌合させる嵌合孔23を形成する。      
【００３１】
図示例では、第１半環状板部30のヒンジ20近傍部分に第１半環状板部30の一部とで形成した係止管33を形成し、また、第２半環状板部32の自由端の裏面に第１係合突部、側面に返し形態の第２係合突部35を突設し、係止管33内に第２半環状板部32の先端を挿通させて第１係合突部34を第２半環状板部32の側面に、第２係合突部35を係止管33の側面にそれぞれ係合させて抜け出しの防止を図っている。この場合には、例えば、第２半環状板部32を開いた状態でボトルＣの口頸部52を第１半環状板部30の内縁に当接し、しかる後、第２半環状板部32を閉じてその先端を係合させ、第１半環状板部30と第２半環状板部32とで形成される嵌合孔23にボトルＣの口頸部52を嵌合させることができる。
【符号の説明】
【００３２】
Ａ…ボトルホルダー
A1…クリップ部
10…支持基板，11…挿入係止片，12…連結部，13…係止用の突条，14…透孔，
15…締縛用孔，16…窓孔，17…縦突条群
A2…ボトルネック固定部
20…ヒンジ，21…固定基板，22…切溝，23…嵌合孔，24…突片，
30…第１半環状板部，31…ヒンジ部，32…第２半環状板部，33…係止管，
34…第１係合突部，35…第２係合突部
Ｂ…ウエストベルト
Ｃ…ボトル
50…胴部，51…肩部，52…口頸部
Ｄ…キャップ
60…ローレット
【図１】
0005424244.tif 000002
【図２】
0005424244.tif 000003
【図３】
0005424244.tif 000004
【図４】
0005424244.tif 000005
【図５】
0005424244.tif 000006
【図６】
0005424244.tif 000007
【図７】
0005424244.tif 000008